【手続補正書】
【提出日】平成15年10月1日(2003.10.1)
【手続補正１】
【補正対象書類名】明細書
【補正対象項目名】特許請求の範囲
【補正方法】変更
【補正の内容】
【特許請求の範囲】
【請求項１】
入賞に応じて予め定められた個数の景品遊技媒体の払出しを行なうことが可能な遊技機であって、
遊技状態を制御する遊技制御手段と、
遊技媒体を払出す動作を行なう払出手段と、
前記払出手段を制御する払出制御手段と、
前記払出手段に遊技媒体を供給する遊技媒体供給通路と、
該遊技媒体供給通路の所定位置に存在する遊技媒体を検出可能な遊技媒体検出手段と、
前記払出手段から払出される前記景品遊技媒体を検出する景品遊技媒体個数カウントスイッチとを含み、
前記遊技制御手段は、予め定められたデータ形式で景品遊技媒体の払出制御の内容を指令するとともに払出す景品遊技媒体数を示すコマンドデータと、該コマンドデータの取込みタイミングを示す取込み信号とを含み、前記景品遊技媒体の払出制御を指令する景品遊技媒体払出制御信号を前記払出制御手段に出力し、
前記払出制御手段は、前記遊技制御手段から受ける前記景品遊技媒体払出制御信号に基づいて景品遊技媒体の払出制御を行ない、
前記景品遊技媒体個数カウントスイッチは、前記払出手段から払出される前記景品遊技媒体を検出したことに応じて、前記払出制御手段に景品遊技媒体個数カウントスイッチ信号を出力し、
前記払出制御手段は、景品遊技媒体の未払出し個数を更新可能に記憶し、
前記払出制御手段は、前記景品遊技媒体数を示す前記コマンドデータを含む前記景品遊技媒体払出制御信号を受信するごとに前記景品遊技媒体の未払出し個数を加算更新するとともに、前記景品遊技媒体個数カウントスイッチ信号を受信するごとに前記景品遊技媒体の未払出し個数を減算更新し、
前記払出制御手段は、さらに、複数の入賞に応じた景品遊技媒体の払出しを各入賞ごとに前記払出手段の払出動作を区切ることなく、連続的に払出すように前記払出手段を制御可能であり、
前記払出制御手段が連続的に払出制御を行なうことが可能な連続払出数が設定され、
前記払出制御手段は、さらに、前記景品遊技媒体の未払出し個数が前記連続払出数以下のときは、１回の払出動作において、前記未払出し個数分の景品遊技媒体を連続的に払出し、前記景品遊技媒体の未払出し個数が前記連続払出数よりも多いときは、前記連続払出個数分の景品遊技媒体を連続的に払出す払出制御を、前記景品遊技媒体の未払出し個数がゼロになるまで繰返し行ない、
前記払出手段と、前記遊技媒体検出手段による遊技媒体の検出位置との間には、少なくとも、前記連続払出数分の遊技媒体が貯留可能であることを特徴とする、遊技機。
【請求項２】
前記コマンドデータは、払出制御の種類を指令可能な第１のデータと払出す景品遊技媒体数を指令可能な第２のデータとを有することを特徴とする、請求項１に記載の遊技機。
【請求項３】
前記コマンドデータは、複数回に分けて前記遊技制御手段から前記払出制御手段に送信されることを特徴とする、請求項１または２に記載の遊技機。
【請求項４】
前記コマンドデータは、データの種別を識別可能な識別データを含むことを特徴とする、請求項２または３に記載の遊技機。
【請求項５】
前記払出手段は、遊技者に貸出すための貸遊技媒体を払出す動作を行なうことが可能であり、
貸遊技媒体の払出しの際における前記払出手段による貸遊技媒体の連続的な払出数は、前記連続払出数と同数であることを特徴とする、請求項１から４のいずれかに記載の遊技機。
【手続補正２】
【補正対象書類名】明細書
【補正対象項目名】０００８
【補正方法】変更
【補正の内容】
【０００８】
【課題を解決するための手段】
請求項１に記載の本発明は、入賞に応じて予め定められた個数の景品遊技媒体の払出しを行なうことが可能な遊技機であって、
遊技状態を制御する遊技制御手段と、
遊技媒体を払出す動作を行なう払出手段と、
前記払出手段を制御する払出制御手段と、
前記払出手段に遊技媒体を供給する遊技媒体供給通路と、
該遊技媒体供給通路の所定位置に存在する遊技媒体を検出可能な遊技媒体検出手段と、
前記払出手段から払出される前記景品遊技媒体を検出する景品遊技媒体個数カウントスイッチとを含み、
前記遊技制御手段は、予め定められたデータ形式で景品遊技媒体の払出制御の内容を指令するとともに払出す景品遊技媒体数を示すコマンドデータと、該コマンドデータの取込みタイミングを示す取込み信号とを含み、前記景品遊技媒体の払出制御を指令する景品遊技媒体払出制御信号を前記払出制御手段に出力し、
前記払出制御手段は、前記遊技制御手段から受ける前記景品遊技媒体払出制御信号に基づいて景品遊技媒体の払出制御を行ない、
前記景品遊技媒体個数カウントスイッチは、前記払出手段から払出される前記景品遊技媒体を検出したことに応じて、前記払出制御手段に景品遊技媒体個数カウントスイッチ信号を出力し、
前記払出制御手段は、景品遊技媒体の未払出し個数を更新可能に記憶し、
前記払出制御手段は、前記景品遊技媒体数を示す前記コマンドデータを含む前記景品遊技媒体払出制御信号を受信するごとに前記景品遊技媒体の未払出し個数を加算更新するとともに、前記景品遊技媒体個数カウントスイッチ信号を受信するごとに前記景品遊技媒体の未払出し個数を減算更新し、
前記払出制御手段は、さらに、複数の入賞に応じた景品遊技媒体の払出しを各入賞ごとに前記払出手段の払出動作を区切ることなく、連続的に払出すように前記払出手段を制御可能であり、
前記払出制御手段が連続的に払出制御を行なうことが可能な連続払出数が設定され、
前記払出制御手段は、さらに、前記景品遊技媒体の未払出し個数が前記連続払出数以下のときは、１回の払出動作において、前記未払出し個数分の景品遊技媒体を連続的に払出し、前記景品遊技媒体の未払出し個数が前記連続払出数よりも多いときは、前記連続払出個数分の景品遊技媒体を連続的に払出す払出制御を、前記景品遊技媒体の未払出し個数がゼロになるまで繰返し行ない、
前記払出手段と、前記遊技媒体検出手段による遊技媒体の検出位置との間には、少なくとも、前記連続払出数分の遊技媒体が貯留可能であることを特徴とする。


【手続補正３】
【補正対象書類名】明細書
【補正対象項目名】００１４
【補正方法】変更
【補正の内容】
【００１４】
【作用】
請求項１に記載の本発明によれば、次のように作用する。遊技制御手段の働きにより、遊技状態が制御される。払出手段の働きにより、遊技媒体を払出す動作が行なわれる。払出制御手段の働きにより、払出手段が制御される。遊技媒体供給通路により払出手段に遊技媒体が供給される。遊技媒体検出手段の働きにより、遊技媒体供給通路の所定位置に存在する遊技媒体が検出可能である。景品遊技媒体個数カウントスイッチにより、払出手段から払出される景品遊技媒体が検出される。遊技制御手段に含まれる、コマンドデータにより予め定められたデータ形式で景品遊技媒体の払出制御の内容が指令されるとともに払出す景品遊技媒体数が示され、取込み信号によりコマンドデータの取込みタイミングが示される。遊技制御手段の働きにより、景品遊技媒体の払出制御を指令する景品遊技媒体払出制御信号が払出制御手段に出力される。払出制御手段のさらなる働きにより、遊技制御手段から受ける景品遊技媒体の払出制御を指令する景品遊技媒体払出制御信号に基づいて景品遊技媒体の払出制御が行なわれる。景品遊技媒体個数カウントスイッチにより、払出手段から払出される景品遊技媒体が検出されたことに応じて、払出制御手段に景品遊技媒体個数カウントスイッチ信号が出力される。払出制御手段の働きにより、景品遊技媒体の未払出し個数が更新可能に記憶される。払出制御手段の働きにより、景品遊技媒体数を示すコマンドデータを含む景品遊技媒体払出制御信号が受信されるごとに景品遊技媒体の未払出し個数が加算更新されるとともに、景品遊技媒体個数カウントスイッチ信号が受信されるごとに景品遊技媒体の未払出し個数が減算更新される。払出制御手段のさらなる働きにより、複数の入賞に応じた景品遊技媒体の払出しを各入賞ごとに払出手段の払出動作を区切ることなく、連続的に払出すように払出手段を制御可能である。払出制御手段が連続的に払出制御を行なうことが可能な連続払出数が設定されている。払出制御手段のさらなる働きにより、景品遊技媒体の未払出し個数が連続払出数以下のときは、１回の払出動作において、未払出し個数分の景品遊技媒体を連続的に払出し、景品遊技媒体の未払出し個数が連続払出数よりも多いときは、連続払出個数分の景品遊技媒体を連続的に払出す払出制御が、景品遊技媒体の未払出し個数がゼロになるまで繰返し行なわれる。払出手段と、遊技媒体検出手段による遊技媒体の検出位置との間には、少なくとも、連続払出数分の遊技媒体が貯留可能である。